(57)【要約】      （修正有）【課題】楽器を支持する位置を調節可能としつつも、信頼性の高い楽器用キャリアを提供する。【解決手段】着用者の腹部に配置され楽器を支持する支持具１３０が設けられた腹当部材１０４と、腹当部材１０４の上方に配置され着用者の肩部に掛けられる肩掛部材１０２と、腹当部材１０４と肩掛部材１０２とを連結する連結部材１０６とを含み、連結部材１０６は、上下方向に延伸すると共に、腹当部材１０４と肩掛部材１０２とに着脱可能に取り付けられ、腹当部材側と肩掛部材側とで前後方向に中心軸が変位する屈曲部１３２を有する楽器用キャリア１００である。楽器用キャリア１００の肩掛部材１０２と腹当部材１０４とを繋ぐために、屈曲部１３２を有する連結部材１０６を用い、連結部材１０６の取り付け角度（回転方向の角度）を変更することで、肩掛部材１０２と腹当部材１０４との相対的な取り付け位置を調節可能とする。【選択図】図１
2016142952.tif 000002
【特許請求の範囲】
【請求項１】
着用者の腹部に配置され楽器を支持する支持具が設けられた腹当部材と、
前記腹当部材の上方に配置され着用者の肩部に掛けられる肩掛部材と、
前記腹当部材と前記肩掛部材とを連結する連結部材と、を含み、
前記連結部材は、上下方向に延伸すると共に、前記腹当部材と前記肩掛部材とに着脱可能に取り付けられ、前記腹当部材側と前記肩掛部材側とで前後方向に中心軸が変位する屈曲部を有することを特徴とする楽器用キャリア。
【請求項２】
前記連結部材は、棒状の部材であることを特徴とする請求項１に記載の楽器用キャリア。
【請求項３】
前記連結部材は、断面形状が多角形であることを特徴とする請求項２に記載の楽器用キャリア。
【請求項４】
前記肩掛部材及び前記腹当部材は、前記連結部材を固定するホルダを有することを特徴とする請求項３に記載の楽器用キャリア。
【請求項５】
前記ホルダは、前記連結部材の外面と噛み合う凹溝又は挿通孔が設けられていることを特徴とする請求項４に記載の楽器用キャリア。
【請求項６】
前記ホルダは、前記連結部材の取り付け方向に応じて、前記腹当部材及び前記肩掛部材の一方又は双方において、取り付け位置が調整可能であることを特徴とする請求項４に記載の楽器用キャリア。
【発明の詳細な説明】
【技術分野】
【０００１】
本発明は、着用者が身体で楽器を支持するときに用いる楽器用キャリアに関する。
【背景技術】
【０００２】
歩行をしながら楽器を演奏するマーチングバンドでは、演奏者がドラム等の楽器を身体で支持するために、楽器用キャリア又はマーチングキャリアと呼ばれる支持器具が着用される。例えば、演奏者がドラム等の打楽器を身体で支持するために、肩掛け、腹当て、およびこの両者を繋ぐロッド部材から成る楽器用キャリアが開示されている（特許文献１参照）。
【先行技術文献】
【特許文献】
【０００３】
【特許文献１】米国特許第７１６６７９０号明細書
【発明の概要】
【発明が解決しようとする課題】
【０００４】
特許文献１に開示された楽器用キャリアは、演奏者の体型に合わせて楽器の位置を調節するために、肩当て部と腹当て部を繋ぐロッドを上下２分割とし、上段のロッドと下段のロッドを繋ぐヒンジが設けられている。このヒンジの角度を無段階に調節可能とすることで、演奏者の体型に合わせて楽器を所定の角度で保持することができるようにしている。
【０００５】
しかしながら、特許文献１で開示されるヒンジを用いた角度調節手段では、当該ヒンジの摺動面をボルトで締め付けて固定するため、長期間の使用により摺動面が劣化してヒンジの角度を一定に保持できなくなるという問題がある。すなわち、ドラム等の重い楽器を、上下のロッドを繋ぐヒンジを介して支持しようとするため、演奏中にヒンジの角度がずれてしまう問題がある。また、楽器の取り付け角度を一定に保つため、ボルトを強く締め付けるとヒンジが破損してしまうという問題がある。
【０００６】
このように、従来の楽器用キャリアは、楽器を支持する角度を調整するためにヒンジが用いられ、楽器の角度を無段階に調節することができる反面、ヒンジが劣化すると楽器を支持する角度が安定せず、元の角度を再現しにくいという問題を有している。さらに、従来の楽器用キャリアは、ヒンジの部分に溝が作り込まれた摺動面を有する締結部、ボルト、シャフト部材など多くの部品を必要としており、部材コスト並びに製造コストの増加要因となり得る。
【０００７】
そこで本発明の一実施形態は、楽器を支持する位置を調節可能としつつも、信頼性の高い楽器用キャリアを提供することを目的とする。
【課題を解決するための手段】
【０００８】
本発明の一実施形態によれば、着用者の腹部に配置され楽器を支持する支持具が設けられた腹当部材と、腹当部材の上方に配置され着用者の肩部に掛けられる肩掛部材と、腹当部材と前記肩掛部材とを連結する連結部材とを含み、連結部材は、上下方向に延伸すると共に、腹当部材と肩掛部材とに着脱可能に取り付けられ、腹当部材側と肩掛部材側とで前後方向に中心軸が変位する屈曲部を有する楽器用キャリアが提供される。
【０００９】
本発明の一実施形態において、連結部材は、棒状の部材であってもよく、断面形状が多角形であるものが含まれる。肩掛部材及び腹当部材は、連結部材を固定するホルダを有していてもよく、ホルダは、連結部材の外面と噛み合う凹溝又は挿通孔が設けられていてもよい。
【発明の効果】
【００１０】
本発明の一実施形態によれば、楽器用キャリアの肩掛部材と腹当部材とを繋ぐために、屈曲部を有する連結部材を用い、当該連結部材の取り付け角度（回転方向の角度）を変更可能とすることで、肩掛部材と腹当部材との相対的な取り付け位置を調節可能としつつ、信頼性の向上を図ることができる。
【図面の簡単な説明】
【００１１】
【図１】本発明の一実施形態に係る楽器用キャリアの斜視図である。
【図２】本発明の一実施形態に係る楽器用キャリアの連結部材の形態を例示する斜視図である。
【図３】本発明の一実施形態に係る楽器用キャリアに用いられるホルダの構造を示す、（Ａ）平面図、（Ｂ）正面図、（Ｃ）側面図である。
【図４】本発明の一実施形態に係る楽器用キャリアの使用形態を説明する模式図である。
【図５】本発明の一実施形態に係る楽器用キャリアの、（Ａ）正面図、（Ｂ）側面図である。
【図６】本発明の一実施形態に係る楽器用キャリアの、（Ａ）正面図、（Ｂ）側面図である。
【図７】本発明の一実施形態に係る楽器用キャリアの、（Ａ）正面図、（Ｂ）側面図である。
【図８】本発明の一実施形態に係る楽器用キャリアの、（Ａ）正面図、（Ｂ）側面図である。
【図９】本発明の一実施形態に係る楽器用キャリアの腹当部材に用いられるプレートの形態を示す図である。
【図１０】本発明の一実施形態に係る楽器用キャリアの腹当部材に用いられるプレートの形態を示す図である。
【発明を実施するための形態】
【００１２】
以下、本発明の実施の形態を、図面等を参照しながら説明する。但し、本発明は多くの異なる態様で実施することが可能であり、以下に例示する実施の形態の記載内容に限定して解釈されるものではない。図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
本明細書において、ある部材又は領域が他の部材又は領域の「上に（又は下に）」あるとする場合、特段の限定がない限りこれは他の部材又は領域の直上（又は直下）にある場合のみでなく他の部材又は領域の上方（又は下方）にある場合を含み、すなわち、他の部材又は領域の上方（又は下方）において間に別の構成要素が含まれている場合も含む。
【００１４】
図１は、本発明の一実施形態に係る楽器用キャリア１００の全体構造を斜視図で示す。楽器用キャリア１００は、腹当部材１０４、肩掛部材１０２、および腹当部材１０４と肩掛部材１０２とを繋ぐ連結部材１０６を含んでいる。楽器用キャリア１００が演奏者等に着用されると、肩掛部材１０２は着用者の肩部に、また腹当部材１０４は腹部に配置される。
【００１５】
肩掛部材１０２には第１のホルダ１１６ａが設けられ、腹当部材１０４には第２のホルダ１１６ｂが設けられている。第１のホルダ１１６ａ及び第２のホルダ１１６ｂは、連結部材１０６を締結し固定する。肩掛部材１０２と腹当部材１０４は、連結部材１０６が第１のホルダ１１６ａ及び第２のホルダ１１６ｂによって固定されることで連結される。第１のホルダ１１６ａ及び第２のホルダ１１６ｂは、連結部材を着脱可能に保持することで、肩掛部材１０２と腹当部材１０４の相対的な取り付け位置の調節を可能としている。例えば、連結部材１０６の長手方向（上下方向）において、第１のホルダ１１６ａ及び第２のホルダ１１６ｂが保持する位置を調節することにより、着用者の身長に合わせて肩掛部材１０２と腹当部材１０４の間隔を調節することができる。
【００１６】
肩掛部材１０２は、楽器用キャリア１００の着用者の肩部に装着される。肩掛部材１０２は肩掛けストラップ１０８と、肩掛けストラップ１０８を繋ぐ上プレート１１２及び後プレート１１４を含んでいる。肩掛けストラップ１０８は着用者が肩部で装着する位置に設けられている。肩掛けストラップ１０８は両肩に装着できるように左右一対の構成を有していることが好ましいが、片方の肩にだけ装着する構成としてもよい。
【００１７】
肩掛けストラップ１０８は、着用者が楽器用キャリア１００を着用したときに、肩の前部から後部にかけて跨がる湾曲した形状を有している。肩掛けストラップ１０８は、楽器用キャリア１００が支持する楽器の重量に耐えうる耐加重性を有しつつ、着用時に着用者の肩にフィットするようにある程度の柔軟性（可撓性）を有していることが好ましい。肩掛けストラップ１０８は、例えば、金属材料で形成されていてもよいが、強靱性と柔軟性を兼ね備えたナイロン素材で形成されていてもよい。また、肩掛けストラップ１０８の裏面（着用者側）には、肩部クッション材１１０が設けられていることが好ましい。肩掛けストラップ１０８に肩部クッション材１１０が設けられていることにより、着用時における身体への負担を軽減し、装着感を向上させることができる。
【００１８】
肩掛部材１０２は、着用者の前面（概略胸部上面）に位置される上プレート１１２を有している。上プレート１１２には肩掛けストラップ１０８の接続部１１８が設けられている。接続部１１８は上プレート１１２の左右両側に配置されている。上プレート１１２の接続部１１８で左右の肩掛けストラップ１０８がそれぞれ固定されることにより、楽器用キャリア１００を安定して装着することができる。
【００１９】
上プレート１１２の前面には、第１のホルダ１１６ａが設けられている。第１のホルダ１１６ａは連結部材１０６を固定し、腹当部材１０４を保持する。上プレート１１２に第１のホルダ１１６ａが設けられることにより、楽器を支持したときの加重が肩掛けストラップ１０８に均等に掛かるようになり、着用時の安定性を高めることができる。
【００２０】
肩掛部材１０２の背中側には後プレート１１４が設けられていてもよい。後プレート１１４は着用者の背部において、肩掛けストラップ１０８に接続されることにより、楽器用キャリア１００の着用時における安定性を高めることができる。
【００２１】
上プレート１１２において、肩掛けストラップ１０８を固定する位置は左右方向に調整可能とされていてもよい。肩掛けストラップ１０８は上プレート１１２及び後プレート１１４に、ボルト及びナットのような締結具で固定されていてもよいが、一定の範囲で左右方向に角度が変化するようにホック等で接続されていてもよい。上プレート１１２において取り付け位置を調整可能とすること、肩掛けストラップ１０８の取り付け角度を可変とすることで、利用者の体格に合わせて肩掛けストラップ１０８の位置を調整することができる。また、肩掛けストラップ１０８は、長さを調節できる調整部を有していてもよい。
【００２２】
腹当部材１０４は下プレート１２０を主たる構成要素として含んでいる。下プレート１２０は、金属材料、プラスチック、炭素繊維などによる剛性を有する板材で形成される。下プレート１２０を形成する金属材料としてはアルミニウム（Ａｌ）、チタン（Ｔｉ）等の金属材料の他、アルミニウム（Ａｌ）、チタン（Ｔｉ）、マグネシウム（Ｍｇ）等の合金材料を用いることが好ましい。下プレート１２０の形状は平板状、胴体の腹部全部から側部にかけて湾曲した曲面部を有する形状であってもよい。下プレート１２０は前述の金属材料又はプラスチックで形成されていることにより、軽量化を図ることができ、楽器を安定して保持することができる。また、胴体に合わせて湾曲する形態を有することにより、装着感を向上させることができる。
【００２３】
下プレート１２０の前面には、第２のホルダ１１６ｂが取り付けられている。下プレート１２０の面内において、第２のホルダ１１６ｂの取り付け位置は任意であるが、例えば、図１に示すように下プレート１２０の上端側に設けられていてもよい。また、下プレート１２０の面内において第２のホルダ１１６ｂの取り付け位置は、変更できるようになっていてもよい。後述するように、連結部材１０６の形状に合わせて第２のホルダ１１６ｂの取り付け位置を変更可能とすることで、腹当部材１０４の取り付け位置を、前側又は後側というように調整することが可能となる。
【００２４】
下プレート１２０の背面側、すなわち着用者の胴体側には腹部クッション材１２２が設けられていてもよい。腹部クッション材１２２はウレタン樹脂等による緩衝材で形成される。ウレタン樹脂等の緩衝材は、形状を自由に成型できるため、胴体に合わせた形状にすることができる。下プレート１２０の背面に腹部クッション材１２２を設けることにより、着用者の硬質の下プレート１２０は直接的に身体に当たらないようにすることができ、装着感を向上させることができる。また、楽器の加重に対する身体の負荷を低減することができる。
【００２５】
下プレート１２０には楽器を支持する支持具１３０が設けられている。支持具１３０は、楽器の種類、形状等によって各種の形態を有するものが適用され得る。図１では、支持具１３０が棒状部材で形成され、先端側が屈曲したフックの形態を有する一例を示している。支持具１３０は楽器の形態に合わせて、下プレート１２０の面内において任意の位置に取り付け可能であるが、第２のホルダ１１６ｂと干渉しない位置に取り付けられる。支持具１３０は、例えば、取付具１２８によって、下プレート１２０に固定されてもよい。
【００２６】
演奏者等が楽器用キャリア１００を着用したとき、腹当部材１０４は着用者の腹部に当接する。このとき、下プレート１２０に設けられた支持具１３０によって楽器が支持されるので、演奏者の両手は自由になり、楽器の演奏をすることが可能となる。
【００２７】
連結部材１０６は、一端が第１のホルダ１１６ａによって肩掛部材１０２と連結され、他端が第２のホルダ１１６ｂによって腹当部材１０４に連結される。肩掛部材１０２と腹当部材１０４は、連結部材１０６の取り付け位置及び角度（回転方向の角度）によって相対的な位置が確定する。連結部材１０６は、肩掛部材１０２と腹当部材１０４の位置を安定化させるために、剛性を有していることが好ましい。このため連結部材１０６は、金属材料又はプラスチックで形成されることが好ましい。
【００２８】
連結部材１０６は、楽器用キャリア１００の上下方向（装着者の身体に沿った上下方向）の延伸する形態を有している。例えば、図１では、一例として、連結部材１０６が多角形の断面形状を有する棒状の部材である場合を示している。連結部材１０６として用いられる棒状の部材は、１本でもよいが、安定性を増すためには少なくとも２本の棒状の部材を用いることが好ましい。少なくとも２本の棒状の部材を用いることにより、１本の場合に比べて捩れに対する安定性が増し、肩掛部材１０２と腹当部材１０４とが捩れることなく保持することができる。連結部材１０６として用いられる棒状の部材としては、ロッド又はチューブ若しくはパイプのような部材を用いることができる。
【００２９】
上記のように連結部材１０６は楽器用キャリア１００の上下方向に延伸し、一端が肩掛部材１０２に接続され、他端が腹当部材１０４に接続される。連結部材１０６は、当該一端部と他端部の間に屈曲部１３２を有している。すなわち、連結部材１０６は、上下方向（演奏者の身体に沿った上下方向）に延伸すると共に、肩掛部材側と腹当部材側とで中心軸が、当該上下方向に対して前後方向（演奏者の身体に対して前後方向）に変位する屈曲部１３２を有している。屈曲部１３２は、連結部材１０６の肩掛部材側と腹当部材側とにおける、それぞれの中心軸が略平行に延びるように、少なくとも２段の屈曲を有していることが好ましい。
【００３０】
連結部材１０６は、腹当部材１０４及び肩掛部材１０２に対して取り付け方向を回転させて第１のホルダ１１６ａ及び第２のホルダ１１６ｂに取り付けることができる。連結部材１０６は、前述のように屈曲部を有することにより、取り付け方向（回転方向）を変更することで、腹当部材１０４と肩掛部材１０２の相対的な位置を前後に変えることができる。例えば、図１で示すように、連結部材１０６が棒状の部材であるとき肩掛部材１０２の位置を基準にすると、連結部材１０６の取り付け方向を回転させることにより、腹当部材１０４の位置を前後方向に変位させることができる。
【００３１】
本実施形態に係る楽器用キャリア１００は、屈曲する連結部材１０６を用いることで、肩掛部材１０２と腹当部材１０４の相互の前後関係を調節することが可能となっている。それにより、着用者の身体に合わせて楽器を支持する位置を調節することが可能となっている。図１では、連結部材１０６が棒状の部材である場合を示しているが、これを板状の部材に置き換えても同様の作用ないし効果を得ることができる。
【００３２】
なお、着用者の身長に対する調整は、腹当部材１０４及び／又は肩掛部材１０２に対する連結部材１０６の長手方向の取り付け位置をスライドさせることで、上下に調整することができる。
【００３３】
図１で例示されるように、連結部材１０６は、肩掛部材１０２と腹当部材１０４とを繋ぐ部材である。連結部材１０６を形成するための素材に限定はないが、アルミニウム（Ａｌ）、チタン（Ｔｉ）などの金属材料又はアルミニウム（Ａｌ）、マグネシウム（Ｍｇ）、チタン（Ｔｉ）などによる合金材料を用いて形成することが好ましい。このような金属材料又は合金材料は、剛性を有しつつも鉄鋼材料に比べて軽量であるため、身体に装着する器具に用いることに適している。なお、パイプを用いる場合には、ステンレス鋼を用いても、重量の増加を抑制することができる。
【００３４】
図２は、連結部材１０６が棒状の部材であるときの一例として、ロッド又はチューブ若しくはパイプの形態を示す。図２で例示される連結部材１０６は棒状の部材であり、上下方向に延伸し、かつ延伸方向の途中に屈曲部１３２を有している。屈曲部１３２は少なくとも２段階に屈曲している。この構成により、連結部材１０６は、屈曲部１３２を挟んで上側部分の中心軸と、下側部分の中心軸が一致せず、略平行にシフトしている。
【００３５】
連結部材１０６の断面形状は多角形であることが好ましい。連結部材１０６として、例えば、断面形状が四角形、六角形、八角形の棒状の部材を用いることができる。このような多角形の断面形状を有する棒状の部材をホルダで挟み込むことにより、回転方向への摺動が抑制され、回転方向の固定位置が変動しないようにすることができる。連結部材１０６に適用される断面形状は八角形までに限定されず、それ以上の多角形としてもよく、連結部材１０６の回転を防止するという観点では、断面形状が楕円のような形状であってもよい。
【００３６】
なお、本実施形態では、肩掛部材１０２と腹当部材１０４とを連結部材１０６で連結する形態を例示するが、本発明の一実施形態はこの態様に限定されない。例えば、図２で示すようなロッド又はチューブでなる連結部材１０６と同様に、長手方向の途中で屈曲する平板状の部材によって、肩掛部材１０２と腹当部材１０４とを連結してもよい。
【００３７】
第１のホルダ１１６ａ及び第２のホルダ１１６ｂは、断面形状が多角形である連結部材１０６の外面と噛み合う凹溝又は挿通孔が設けられていることが好ましい。連結部材１０６の外形と噛み合う凹溝をホルダ１１６に設けることで、連結部材の回転方向の動きを抑制することができる。これにより、連結部材１０６の取り付け角度を一定にすることができる。そのため、腹当部材１０４と肩掛部材１０２の取り付け位置が固定され、安定性及び再現性を高めることができる。
【００３８】
図３（Ａ）乃至（Ｃ）は、ホルダ１１６の一例を示す。図３（Ａ）乃至（Ｃ）で示されるホルダ１１６は、連結部材１０６が棒状であるときに適合する形態を例示する。図３（Ａ）は、ホルダ１１６の正面図、同図（Ｂ）は上面図、同図（Ｃ）は側面図を示す。ホルダ１１６は弾性を有する硬質材料で形成されていることが好ましい。ホルダ１１６として、下プレート１２０と同様に、アルミニウム（Ａｌ）、チタン（Ｔｉ）、マグネシウム（Ｍｇ）などの金属を用いた合金材料で形成されている。
【００３９】
ホルダ１１６は、連結部材１０６を通し挟み込む凹溝又は挿通孔１３４を有している。図３（Ｃ）で示すように、ホルダ１１６の一端に切り欠けが形成され、凹溝又は挿通孔１３４の一端は開放されている。凹溝又は挿通孔１３４の切り欠き部を上下から挟むように一対の締付片１３６が設けられている。下側締付片１３６ｂには、下プレート１２０又は上プレート１１２に固定するために、ボルト等の締結具を通す貫通孔１３８ａが設けられている。また、下側締付片１３６ｂ及び上側締付片１３６ａを貫通するように貫通孔１３８ｂが設けられている。
【００４０】
ホルダ１１６は、下側締付片１３６ｂを上プレート１１２又は下プレート１２０に固定した状態で、貫通孔１３８ｂにボルト及びナット等の締結具を挿着し、上側締付片１３６ａ側から締め付けることで、連結部材１０６を挟み込み、圧接して固定することができる。凹溝又は挿通孔１３４の断面形状は、連結部材１０６の外形と噛み合うように同じ多角形の内面形状を有していることにより、連結部材１０６が回転方向に摺動するのを防ぐことができる。
【００４１】
本実施形態に係る楽器用キャリア１００は、連結部材１０６の取り付け方により、肩掛部材１０２を基準にして、腹当部材１０４の前後の位置を調節することができる。その一例を、連結部材１０６が六角形の断面形状を有するロッド又はパイプである場合を一例として説明する。
【００４２】
図４（Ａ）乃至（Ｄ）は、六角形の断面形状を有する連結部材１０６によって、腹当部材１０４の位置が前後４段階に調節される態様を示す。前述のように連結部材１０６は、上プレート１１２に締結される上側部側と、下プレート１２０に締結される下側部側との間に屈曲部１３２を有し、この上側部分と下側部分とで中心軸が変位している。このため、連結部材１０６が棒状の部材であるとき、上プレート１１２に取り付ける角度によって、下プレート１２０の位置が変化することとなる。
【００４３】
図４（Ａ）は、上プレート１１２に対して、下プレート１２０が前方に位置する態様を示す。この取り付け状態では、連結部材１０６が屈曲する変位分だけ、下プレート１２０が前方に位置することになる。すなわち、前方に最も変位させた状態を示す。
【００４４】
図４（Ａ）で説明する取り付け状態の具体例を、図５（Ａ）及び（Ｂ）に示す。図５（Ａ）は楽器用キャリア１００の正面図であり、図５（Ｂ）は側面図を示す。図５（Ｂ）で示すように、楽器用キャリア１００は、上プレート１１２の位置を基準にして下プレート１２０が前方に配置されている。下プレート１２０の位置は、連結部材１０６が屈曲する大きさに応じて前方に突出している。この状態における下プレート１２０の前方への変位量は、連結部材１０６が屈曲する大きさに応じた最大変位量になる。下プレート１２０の突出位置は、連結部材１０６が屈曲する大きさを変えれば、その大きさに応じて変化させることができる。したがって、屈曲する大きさが異なる他のロッドに取り替えれば、下プレート１２０の位置（最大変位量）をさらに調節することができる。
【００４５】
この取り付け状態は、図５（Ａ）で示すように正面から見ると、連結部材１０６が直線状に見えるように配置されている。すなわち、上プレート１１２と下プレート１２０で、連結部材１０６の上下方向における取り付け位置は同じ直線上に位置している。この場合、図５（Ａ）で示すように、下プレート１２０に取り付けられる第２のホルダ１１６は、凹溝又は挿通孔１３４が内側を向いて取り付けられている。
【００４６】
図４（Ｂ）は、連結部材１０６を図４（Ａ）に対して１８０度回転させた状態で取り付けた状態を示す。この状態では、上プレート１１２を基準として、下プレート１２０は後方に位置することとなる。この状態は、連結部材１０６が屈曲する大きさに応じて下プレート１２０が後ろに配置されることになる。すなわち、この状態は、下プレート１２０が最も後方に変位した状態を示す。
【００４７】
図４（Ｂ）で説明する取り付け状態の具体例を、図６（Ａ）及び（Ｂ）に示す。図６（Ａ）は楽器用キャリア１００の正面図を示し、図６（Ｂ）は側面図を示す。図６（Ｂ）で示すように、楽器用キャリア１００は、上プレート１１２に対して下プレート１２０が後方に配置されている。下プレート１２０の位置は、連結部材１０６が屈曲して変位する大きさに対応している。この状態における下プレート１２０の後方への変位量は、連結部材１０６が屈曲する大きさに応じた最大変位量になる。
【００４８】
この取り付け状態は、図６（Ａ）で示すように正面から見ると、図５（Ａ）と同様に連結部材１０６が直線状に見えるように配置されている。この場合、図６（Ａ）で示すように、下プレート１２０に取り付けられる第２のホルダ１１６は、凹溝又は挿通孔１３４が内側を向いて取り付けられている。
【００４９】
図４（Ｃ）は、図４（Ａ）で示す状態から連結部材１０６を６０度回転させて取り付けた状態を示す。この取り付け状態では、上プレート１１２に対して下プレート１２０が前方に配置されるが、その位置は図４（Ａ）の場合に比べて後方にある。
【００５０】
図４（Ｃ）で説明する取り付け状態の具体例を、図７（Ａ）及び（Ｂ）に示す。図７（Ａ）は楽器用キャリア１００の正面図を示し、図７（Ｂ）は側面図を示す。図７（Ａ）及び（Ｂ）で示すように、楽器用キャリア１００は、上プレート１１２に対して下プレート１２０がやや前方に配置されている。また、図７（Ａ）の正面図で示すように、連結部材１０６は外側に開いて取り付けられている。すなわち、連結部材１０６が６０度回転して上プレート１１２に取り付けられたことにより、下プレート１２０が前方に変位する大きさは小さくなっている。
【００５１】
図４（Ｄ）は、図４（Ｂ）で示す状態から連結部材１０６を６０度回転させて取り付けた状態を示す。この取り付け状態では、上プレート１１２に対して下プレート１２０が後方に配置されるが、その位置は図４（Ｂ）の場合に比べて前方にある。
【００５２】
図４（Ｄ）で説明する取り付け状態の具体例を、図８（Ａ）及び（Ｂ）に示す。図８（Ａ）は楽器用キャリア１００の正面図を示し、図８（Ｂ）は側面図を示す。図８（Ｂ）で示すように、楽器用キャリア１００は、上プレート１１２に対して下プレート１２０がやや後方に位置している。また、図８（Ａ）の正面図で示すように、連結部材１０６は外側に開いて取り付けられている。すなわち、図４（Ｂ）で示す状態から、連結部材１０６が６０度回転して上プレート１１２に取り付けられたことにより、下プレート１２０が後方に変位する大きさは小さくなっている。
【００５３】
図７（Ａ）及び図８（Ａ）で示すように、連結部材の取り付ける角度を回転させると、連結部材１０６が外側に開いた状態で下プレート１２０に取り付けられるものとなる。この場合、下プレート１２０にある第２のホルダ１１６の凹溝又は挿通孔１３４の位置を回転させて、外側に向くように変更することで、連結部材１０６の取り付けを可能としている。このように、第２のホルダ１１６の取り付け位置を固定した状態で、凹溝又は挿通孔１３４の位置を内向き又は外向きに変更可能とすることで、連結部材１０６の取り付け角度を変更しても、下プレート１２０上で連結部材１０６を固定することができる。なお、図４乃至図８では、連結部材１０６が棒状の部材の場合を例示するが、本発明はこれに限定されず、連結部材１０６が板状の部材であっても同様の作用効果を得ることができる。すなわち、棒状の部材である場合と同様に、長手方向（上下方向）の途中に少なくとも２段階に屈曲する屈曲部を有する板状の部材を用い、肩掛部材１０２と腹当部材１０４を連結するときに当該板状の部材の表裏を入れ替えて取り付けることで、図４（Ａ）及び図４（Ｂ）で示す態様と同様に腹当部材１０４の位置を調整することができる。
【００５４】
以上のように、本発明の一実施形態によれば、屈曲部を有する多角形の連結部材１０６の取り付け角度により、肩掛部材１０２と腹当部材１０４の相対的な位置を調整することができる。多角形の連結部材１０６の一角ごとに回転させて取り付けることにより、肩掛部材１０２と腹当部材１０４の相対的な取り付け位置は変動が抑制され、安定化を図ることができる。また、連結部材１０６の取り付け角度は、断面形状によって制御されるので、角度調整によるズレを防ぐことができる。すなわち、連結部材１０６として多角形状の連結部材１０６を用いることにより、調整位置が有段階調整となるため、取り付け位置の再現性を高めることができる。
【００５５】
さらに、本発明の一実施形態によれば、連結部材１０６として連結部材１０６のような棒状部材と、それを固定するホルダ１１６を用いれば、肩掛部材１０２と腹当部材１０４の前後調整に必要な部品点数を少なくすることができ、コストの削減を図ることができる。
【００５６】
本実施形態は、連結部材１０６として連結部材１０６を用いる場合について説明したが、本発明はこれに限定されずパイプ状であるものなど棒状又は柱状の部材を適用することができる。
【００５７】
連結部材１０６を固定するホルダ１１６の取り付け位置は、調整可能とされていてもよい。図９は、第２のホルダ１１６ｂが下プレート１２０上で取り付け位置の調整を一定の範囲において無段階に調整可能なように、横長の貫通孔が開いた取付部１２６が設けられた態様を示す。また、図１０で示すように、下プレート１２０上に、第２のホルダ１１６ｂを取り付けるための貫通孔又はネジ穴による取付部１２６が複数箇所に設けられていてもよい。
【００５８】
連結部材１０６を固定するホルダ１１６に対し、取り付け位置の調整機能を付加することにより、連結部材１０６の形状に応じてホルダ１１６の取り付け位置を調節することができる。例えば、断面形状が任意の多角形状である棒状の連結部材１０６に対しても、取り付け角度（棒状の部材の回転方向の角度）に応じて連結部材１０６を固定することができる。それにより、肩掛部材１０２と腹当部材１０４の取り付け位置をより精密に調節することができる。
【００５９】
なお、図９及び図１０は、腹当部材１０４の下プレート１２０における態様を示すが、同様の構成を肩掛部材１０２の上プレート１１２に適用してもよく、同様の作用ないし効果を得ることができる。
【符号の説明】
【００６０】
１００・・・楽器用キャリア、１０２・・・肩掛部材、１０４・・・腹当部材、１０６・・・連結部材、１０８・・・肩掛けストラップ、１１０・・・肩部クッション材、１１２・・・上プレート、１１４・・・後プレート、１１６・・・ホルダ、１１８・・・接続部、１２０・・・下プレート、１２２・・・腹部クッション材、１２６・・・取付部、１２８・・・取付具、１３０・・・支持具、１３２・・・屈曲部、１３４・・・凹溝又は挿通孔、１３６・・・締付片、１３８・・・貫通孔
【図１】
2016142952.tif 000003
【図２】
2016142952.tif 000004
【図３】
2016142952.tif 000005
【図４】
2016142952.tif 000006
【図５】
2016142952.tif 000007
【図６】
2016142952.tif 000008
【図７】
2016142952.tif 000009
【図８】
2016142952.tif 000010
【図９】
2016142952.tif 000011
【図１０】
2016142952.tif 000012